(57)【要約】【課題】設備管理システムと機器管理システムの間における情報の二重管理を防止するとともに、設備管理システムへの情報入力作業を不要とし、入力ミスを防止した管理システムを実現する。【解決手段】プラントに存在する機器を管理する機器管理システムと、この機器管理システムよりも広い範囲を管理範囲とし、プラントを含む設備を管理する設備管理システムとを用いて設備管理を行う管理システムにおいて、機器管理システムが管理するプラントの階層と設備管理システムが管理する設備体系の階層とを対応付けることによって、機器管理システムと設備管理システムの機器台帳を同期させる。同期させた機器台帳を機器管理システムから設備管理システムへ転送する。【選択図】　　　図１
2004029897.tif 000002
【特許請求の範囲】
【請求項１】
プラントに存在する機器を管理する機器管理システムと、この機器管理システムよりも広い範囲を管理範囲とし、プラントを含む設備を管理する設備管理システムとを用いて設備管理を行う管理システムにおいて、
前記機器管理システムが管理するプラントの階層を、前記設備管理システムが管理する設備体系の階層に割り付ける割付手段と、
プラントに存在する機器から情報を取得し、プラントの階層に従った機器台帳を作成する台帳作成手段と、
前記割付手段の割付に従って、台帳作成手段で作成したプラントの階層に従った機器台帳を設備体系の階層に従った機器台帳に編集する台帳同期手段と、
前記台帳同期手段で編集した機器台帳を設備管理システムへ転送する転送手段と、
を有することを特徴とする管理システム。
【請求項２】
前記設備体系の階層数は前記プラントの階層数よりも多く、前記割付手段は、設備体系の複数階層をプラントの一階層に割り付けることを特徴とする請求項１記載の管理システム。
【請求項３】
機器台帳の内容に変更があったときは、前記台帳同期手段は変更部分を設備体系の階層に従った機器台帳に編集し、前記転送手段は編集した機器台帳を設備管理システムへ転送することを特徴とする請求項１または請求項２に記載の管理システム。
【請求項４】
プラントに機器が追加されたときは、前記台帳作成手段は追加された機器から情報を取得してプラントの階層に従った機器台帳を更新し、前記台帳同期手段は更新した機器台帳を設備体系の階層に従った機器台帳に編集し、前記転送手段は編集した機器台帳を設備管理システムへ転送することを特徴とする請求項１乃至請求項３のいずれかに記載の管理システム。
【請求項５】
プラントに存在する機器を管理する機器管理システムと、この機器管理システムよりも広い範囲を管理範囲とし、プラントを含む設備を管理する設備管理システムとを用いて設備管理を行う管理システムにおいて、
前記機器管理システムは、プラントに存在する機器の保全に関わる情報をオンラインで取得し、取得したデータにより前記設備管理システムの計測ポイントのデータを機器管理システム側から更新することを特徴とする管理システム。
【請求項６】
前記保全に関わる情報は、機器の状態の傾向を示す情報及び異常情報の少なくとも一方であることを特徴とする請求項５に記載の管理システム。
【請求項７】
前記設備管理システムの計測ポイントと前記機器管理システムがオンラインで収集するデータとの関係付け、及び、データの更新周期の少なくとも一方を設定する設定手段を有することを特徴とする請求項５または請求項６に記載の管理システム。
【請求項８】
プラントに存在する機器のデータをオンラインで収集するデータ収集手段と、収集したデータを設備管理システムへ転送するデータ転送手段とを有し、これらデータ収集手段とデータ転送手段はそれぞれ独立に動作することを特徴とする請求項５乃至請求項７のいずれかに記載の管理システム。
【請求項９】
機器管理システムは、プラントに存在する機器のデータだけでなくプラントを制御する分散型制御システムが扱うデータも収集することを特徴とする請求項５乃至請求項８のいずれかに記載の管理システム。
【発明の詳細な説明】
【０００１】
【発明の属する技術分野】
本発明は、プラントに存在する機器を管理する機器管理システムと、この機器管理システムよりも広い範囲を管理範囲とし、プラントを含む設備を管理する設備管理システムとを用いて設備管理を行う管理システムに関するものである。
【０００２】
【従来の技術】
設備管理システムは、プラント全体の設備を台帳管理するシステムである。ここでいう設備管理は、予防保全、予知保全等の診断も含む。
機器管理システムは、プラントに存在する機器を管理するシステムで、例えばＰＲＭ（Ｐｌａｎｔ　Ｒｅｓｏｕｒｃｅ　Ｍａｎａｇｅｒ）と呼ばれるシステムがある。
設備管理システムは、例えばプラントＡ、プラントＢ、プラントＣを管理する。機器管理システムは、例えばプラントＡに存在する機器ａ１，ａ２，ａ３を管理する。
【０００３】
設備管理システムの管理対象の中には、ＰＲＭで管理すべきフィールド通信機器も含まれる。設備管理システムで台帳管理している設備の情報には、例えばフィールド通信機器のファームウェアのレビジョン、通信アドレス、機器ＩＤといったＰＲＭがフィールド通信機器からオンラインで取得できる情報も含まれる。このため、設備管理システムと機器管理システムを同時に使用しているユーザでは、情報の二重管理が発生している。
また、従来は巡回点検して得た情報や、ＰＲＭから得た情報を、設備管理システムのヒューマンマシンインタフェイスから入力していた。このため、入力に手間がかかるだけでなく、手作業による誤入力を発生することがある。
【０００４】
【発明が解決しようとする課題】
本発明は上述した問題点を解決するためになされたものであり、機器管理システムが管理するプラントの階層と設備管理システムが管理する設備体系の階層とを対応付けることによって、機器管理システムと設備管理システムの機器台帳を同期させ、同期させた機器台帳を機器管理システムから設備管理システムへ転送することによって、設備管理システムと機器管理システムの間における情報の二重管理を防止するとともに、設備管理システムへの情報入力作業を不要とし、入力ミスを防止した管理システムを実現することを目的とする。
【０００５】
【課題を解決するための手段】
本発明は次のとおりの構成になった管理システムである。
【０００６】
（１）プラントに存在する機器を管理する機器管理システムと、この機器管理システムよりも広い範囲を管理範囲とし、プラントを含む設備を管理する設備管理システムとを用いて設備管理を行う管理システムにおいて、
前記機器管理システムが管理するプラントの階層を、前記設備管理システムが管理する設備体系の階層に割り付ける割付手段と、
プラントに存在する機器から情報を取得し、プラントの階層に従った機器台帳を作成する台帳作成手段と、
前記割付手段の割付に従って、台帳作成手段で作成したプラントの階層に従った機器台帳を設備体系の階層に従った機器台帳に編集する台帳同期手段と、
前記台帳同期手段で編集した機器台帳を設備管理システムへ転送する転送手段と、
を有することを特徴とする管理システム。
【０００７】
（２）前記設備体系の階層数は前記プラントの階層数よりも多く、前記割付手段は、設備体系の複数階層をプラントの一階層に割り付けることを特徴とする（１）記載の管理システム。
【０００８】
（３）機器台帳の内容に変更があったときは、前記台帳同期手段は変更部分を設備体系の階層に従った機器台帳に編集し、前記転送手段は編集した機器台帳を設備管理システムへ転送することを特徴とする（１）または（２）に記載の管理システム。
【０００９】
（４）プラントに機器が追加されたときは、前記台帳作成手段は追加された機器から情報を取得してプラントの階層に従った機器台帳を更新し、前記台帳同期手段は更新した機器台帳を設備体系の階層に従った機器台帳に編集し、前記転送手段は編集した機器台帳を設備管理システムへ転送することを特徴とする（１）乃至（３）のいずれかに記載の管理システム。
【００１０】
（５）プラントに存在する機器を管理する機器管理システムと、この機器管理システムよりも広い範囲を管理範囲とし、プラントを含む設備を管理する設備管理システムとを用いて設備管理を行う管理システムにおいて、
前記機器管理システムは、プラントに存在する機器の保全に関わる情報をオンラインで取得し、取得したデータにより前記設備管理システムの計測ポイントのデータを機器管理システム側から更新することを特徴とする管理システム。
【００１１】
（６）前記保全に関わる情報は、機器の状態の傾向を示す情報及び異常情報の少なくとも一方であることを特徴とする（５）に記載の管理システム。
【００１２】
（７）前記設備管理システムの計測ポイントと前記機器管理システムがオンラインで収集するデータとの関係付け、及び、データの更新周期の少なくとも一方を設定する設定手段を有することを特徴とする（５）または（６）に記載の管理システム。
【００１３】
（８）プラントに存在する機器のデータをオンラインで収集するデータ収集手段と、収集したデータを設備管理システムへ転送するデータ転送手段とを有し、これらデータ収集手段とデータ転送手段はそれぞれ独立に動作することを特徴とする（５）乃至（７）のいずれかに記載の管理システム。
【００１４】
（９）機器管理システムは、プラントに存在する機器のデータだけでなくプラントを制御する分散型制御システムが扱うデータも収集することを特徴とする（５）乃至（８）のいずれかに記載の管理システム。
【００１５】
【発明の実施の形態】
以下図面を用いて本発明を詳しく説明する。
図１は本発明の一実施例を示す構成図である。
図１で、機器管理システム１０と設備管理システム３０はネットワーク４０上に接続されている。
機器管理システム１０では、ＰＲＭクライアント１１、フィールド通信サーバ１２及びＰＲＭサーバ１３がネットワーク１４に接続されている。
フィールド通信サーバ１２は、フィールド通信機器１５からデータを取得する。
ＰＲＭサーバ１３は、管理対象となる機器の情報を機器台帳にして持っている。
ＰＲＭクライアント１１は、フィールド通信サーバ１２及びＰＲＭサーバ１３に対してデータを要求する。
【００１６】
設備管理システム３０では、クライアント３１及びサーバ３２がネットワーク３３に接続されている。
サーバ３２はデータベース３４を保有する。データベース３４には、設備管理システム３０で管理する設備の情報が書かれた機器台帳が格納されている。この機器台帳は、設備管理システム３０の設備体系の階層に従った表現で記述されている。クライアント３１はサーバ３２に対してデータを要求して取得する。
【００１７】
機器管理システム１０で、ＰＲＭサーバ１３は、データベース１６を保有する。データベース１６には、機器管理システム１０で管理する機器の情報が書かれた機器台帳が格納されている。この機器台帳はプラントの階層構造に従った表現で記述されている。
割付手段１３１は、機器管理システム１０が管理するプラントの階層を、設備管理システム３０が管理する設備体系の階層に割り付けるマッピングを行う。
台帳作成手段１３２は、プラントに存在する機器から情報を取得し、プラントの階層に従った機器台帳を作成する。
台帳同期手段１３３は、割付手段１３１の割付に従って、台帳作成手段１３２で作成したプラントの階層に従った機器台帳を設備体系の階層に従った機器台帳に編集する。
転送手段１３４は、台帳同期手段１３３で編集した機器台帳を設備管理システムへ転送する。
【００１８】
図１のシステムの動作を説明する。
設備管理システム３０にあるサーバ３２は、設備管理システム３０が管理する設備体系の階層を示したデータを機器管理システム１０のＰＲＭサーバ１３へ送る。ＰＲＭサーバ１３では、割付手段１３１が機器管理システム１０の管理するプラントの階層を、設備管理システム３０の管理する設備体系の階層に割り付けるマッピングを行う。
【００１９】
マッピングをするときに、設備体系の階層数がプラントの階層数よりも多いときは、設備体系の複数階層をプラントの一階層に割り付ける。このようにして設備体系の階層とプラントの階層を対応付ける。
一般に、設備管理システムの方が機器管理システムよりも広い範囲を管理している。このため、一つの設備管理システムに複数の機器管理システムが管理する階層を取り込むことがある。
このようにして設備管理システム３０の管理する設備体系の階層と、機器管理システム１０の管理するプラントの階層を対応付けることによって、設備管理システム３０と機器管理システム１０の間で、管理対象とする機器の情報と設備体系を共有化する。これを機器台帳の同期と称する。
【００２０】
台帳同期手段１３は、データベース１６から読み出したプラントの階層に従った機器台帳を設備体系の階層に従った機器台帳に編集する。このとき割付手段１３１が行う階層のマッピングに従って、機器台帳を編集する。編集した機器台帳を転送手段１３４が設備管理システム３０へ転送する。転送された機器台帳はデータベース３４に格納される。これにより、設備管理システム３０側では、設備体系の階層に従った機器台帳が送られてくるので、機器管理システム１０で管理するプラントの階層構造を意識しなくてもよい。
【００２１】
ここで、機器管理システム１０側の機器台帳の内容に変更があったときは、台帳同期手段１３３は変更部分を設備体系の階層に従った機器台帳に編集する。転送手段１３４は編集した機器台帳を設備管理システム１０へ転送する。
また、プラントに機器が追加されたときは、台帳作成手段１３２は追加された機器から情報を取得し、この情報によりプラントの階層に従った機器台帳を更新する。台帳同期手段１３３は更新した機器台帳を設備体系の階層に従った機器台帳に編集する。転送手段１３４は編集した機器台帳を設備管理システム１０へ転送する。
【００２２】
図２乃至図４は機器台帳を同期させるときのデータの流れを示した図である。図２は設備体系のマッピングと機器一覧をインポートするときのデータの流れを示した図である。
機器管理システム１０では、台帳同期手段１３３はプラントの階層を設備体系の階層にマッピングする。これと同時に設備管理システム３０で管理する機器の一覧を機器管理システム１０にインポートする。
【００２３】
図３は機器台帳項目を更新するときのデータの流れを示した図である。
機器管理システム１０においてオンラインでフィールド通信機器から情報を取得することにより、機器管理システム１０の機器台帳を更新する。新規にフィールド通信機器が追加されたときにも、機器台帳を更新する。このとき、追加された機器を必ずプラント階層に割り付ける。
【００２４】
図４は機器台帳をエクスポートするときのデータの流れを示した図である。
台帳同期手段１３３で機器の情報を設備体系の階層に記述した機器台帳を、機器管理システム１０から設備管理システム３０へエクスポートする。
【００２５】
図５は本発明の具体的構成例を示した図である。図５で前出した図と同一のものは同一符号を付ける。図５はデータを転送する部分の構成を示した図である。
図５で、設定手段１０１は、設備管理システム３０の計測ポイントと、機器管理システム１０がオンラインで収集すべき機器やプロセスのデータとの関係付けや、データの更新周期の設定を行う。
データ収集手段１０２は、プラントに存在する機器のデータをオンラインで収集する。データ転送手段１０３は、データ収集手段１０２で収集したデータを設備管理システム３０へ転送する。データ収集手段１０２とデータ転送手段１０３はそれぞれ独立に動作する。これにより、各手段の独立性を高め、構成をシンプルにしている。どちらの手段もユーザが設定した周期で収集と転送を実行する。
【００２６】
設定手段１０１は、機器管理システム１０にあるプログラムを用いてデータ収集手段１０２用に収集すべきデータのＯＰＣ（ＯＬＥ　ｆｏｒ　Ｐｒｏｃｅｓｓ　Ｃｏｎｔｒｏｌ）定義を行う。また、このプログラムを用いて設定手段１０１はデータ転送手段１０３用に転送すべきデータのＳＱＬ（Ｓｔｒｕｃｔｕｒｅｄ　Ｑｕｅｒｙ　Ｌａｎｇｕａｇｅ）定義をする。設定手段１０１は、一時的なデータ領域１６１をデータベース１６内に確保する。
データ収集手段１０２は、オンラインで取得したデータを一時的なデータ領域１６１に格納する。
データ転送手段１０３は、一時的なデータ領域１６１から設備管理システム３０の計測ポイントへデータを転送する。
【００２７】
データ収集手段１０２がオンラインでデータを収集する範囲は、フィールド通信サーバ１２が提供するフィールド通信機器のデータだけでなく、ＯＰＣサーバ５１が提供する分散型制御システムのデータや、ＯＰＣサーバ５２が提供する他のシステムのデータもカバーする。
スケジューラ１０４はデータ転送手段１０３を起動する。
データベース１６には、手動入力によるデータや、他データベースから転送されたデータが格納されている。
【００２８】
図５のシステムで、データ収集手段１０２は、設定手段１０１の定義に従って、指定された周期にて各サーバへデータを要求し、得られたデータを一時的なデータ領域１６１へ格納する。
スケジューラ１０４は定周期でデータ転送手段１０３を起動する。データ転送手段１０３は、設定手段１０１の定義に従って、一時的なデータ領域１６１から設備管理システム３０の計測ポイントへデータを転送する。
このようにして、機器管理システム１０は、プラントに存在する機器のデータをオンラインで取得し、取得したデータにより設備管理システム３０の計測ポイントのデータを機器管理システム１０側から更新する。
【００２９】
【発明の効果】
本発明によれば次の効果が得られる。
【００３０】
請求項１及び請求項２に記載の発明では、機器管理システムが管理するプラントの階層と設備管理システムが管理する設備体系の階層とを対応付けることによって、機器管理システムと設備管理システムの機器台帳を同期させている。これによって、設備管理システムと機器管理システムの間における情報の二重管理を防止できる。また、設備管理システム側では、設備体系の階層に従った機器台帳が送られてくるので、機器管理システムで管理するプラントの階層構造を意識しなくてもよい。
このように機器管理システムと設備管理システムを連携させることによって、設備管理システムの付加価値を上げることができる。
【００３１】
請求項３記載の発明によれば、機器台帳の同期は、機器台帳の内容変更に対しても容易に対応できる。
【００３２】
請求項４記載の発明によれば、機器台帳の同期は、機器の追加に対しても容易に対応できる。
【００３３】
請求項５及び請求項６記載の発明では、機器管理システムは、プラントに存在する機器のデータをオンラインで取得し、取得したデータにより設備管理システムの計測ポイントのデータを機器管理システム側から更新している。これによって、設備管理システムへの情報入力作業が不要となり、入力ミスを防止できる。
【００３４】
請求項７記載の発明によれば、所望の設定条件でプラントに存在する機器のデータを収集できる。
【００３５】
請求項８記載の発明では、データ収集手段とデータ転送手段はそれぞれ独立に動作するため、ユーザが設定した周期でデータの収集と転送を実行できる。
【００３６】
請求項９記載の発明では、各種の機器やシステムから取得したデータをもとに管理を行うことができる。
【図面の簡単な説明】
【図１】本発明の一実施例を示す構成図である。
【図２】本発明の動作説明図である。
【図３】本発明の動作説明図である。
【図４】本発明の動作説明図である。
【図５】本発明の具体的構成例を示した図である。
【符号の説明】
１０　機器管理システム
１５　フィールド通信機器
１６，３４　データベース
３０　設備管理システム
１０１　設定手段
１０２　データ収集手段
１０３　データ転送手段
１３１　割付手段
１３２　台帳作成手段
１３３　台帳同期手段
１３４　転送手段
【図１】
2004029897.tif 000003
【図２】
2004029897.tif 000004
【図３】
2004029897.tif 000005
【図４】
2004029897.tif 000006
【図５】
2004029897.tif 000007